【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
自発光素子を有する画素を含む画素マトリクスと、
画素電源電圧を生成する画素電源電圧生成回路と、
自発光素子印加電圧を生成する自発光素子印加電圧供給回路と、
画素マトリクス駆動信号を生成する画素マトリクス駆動信号生成回路と、
画像信号を生成する画像信号生成回路と、
画素駆動信号を生成する画素駆動信号生成回路とを有し、
画素容量の第一電極がゲート電極に接続され、前記画素電源電圧がソース電極に入力され、前記自発光素子の第一電極がドレイン電極に接続された駆動トランジスタと、
前記駆動トランジスタのゲート電極とドレイン電極間に、ソース電極とドレイン電極が接続されたリセットスイッチトランジスタを有し、
前記自発光素子の第二電極には前記自発光素子印加電圧が入力され、
前記リセットスイッチトランジスタのゲート電極には前記画素マトリクス駆動信号が入力され、
１フレーム期間内に前記各画素に前記画像信号を書込む書込み期間と発光期間とを有し、書込み期間に、前記画像信号を前記画素容量の第二電極に入力し、
前記発光期間に、前記全画素の前記リセットスイッチトランジスタをオフとして、前記画素駆動信号を前記画素容量の第二電極に入力する画像表示装置であって、
輝度モード制御回路で制御される２つ以上の輝度表示モードを有し、
前記輝度表示モードには、前記発光期間における前記画素駆動信号波形を直流電圧波形とする第一の輝度表示モードと、前記発光期間における前記画素駆動信号波形を変動電圧波形とする第二の輝度表示モードを有することを特徴とする画像表示装置。
【請求項２】
前記第一の輝度表示モードと、前記第二の輝度表示モードとで、画素電源電圧が異なることを特徴とする請求項１に記載の画像表示装置。
【請求項３】
前記画像信号生成回路と前記画素駆動信号生成回路とは、同一の回路で共用することを特徴とする請求項１に記載の画像表示装置。
【請求項４】
前記第一の輝度表示モードでは前記駆動トランジスタが飽和領域で前記自発光素子を発光させ、前記第二の輝度表示モードでは前記駆動トランジスタは非飽和領域で前記自発光素子を発光させることを特徴とする請求項１に記載の画像表示装置。
【請求項５】
前記第二の輝度表示モードにおける前記画素駆動信号波形は、複数の変極点を有する多角形であることを特徴とする請求項１に記載の画像表示装置。
【請求項６】
前記第二の輝度表示モードにおける前記画素駆動信号波形は、複数の変極点を有する放物線波形であることを特徴とする請求項５に記載の画像表示装置。
【請求項７】
前記第二の輝度表示モードにおける前記画素駆動信号波形は、概略放物線波形であることを特徴とする請求項１に記載の画像表示装置。
【請求項８】
前記画素駆動信号波形は、各画素における前記自発光素子の発光色によって波形が異なることを特徴とする請求項１に記載の画像表示装置。
【請求項９】
前記第一の輝度表示モードにおける前記画素駆動信号波形は、矩形波であることを特徴とする請求項１に記載の画像表示装置。
【請求項１０】
前記第一の輝度表示モードにおける前記画素駆動信号波形は、台形波であることを特徴とする請求項１に記載の画像表示装置。
【請求項１１】
前記輝度表示モードには、前記発光期間における前記画素駆動信号波形が変動電圧波形であり、前記変動電圧波形の形状が異なる複数の輝度表示モードを有することを特徴とする請求項１に記載の画像表示装置。
【請求項１２】
前記輝度表示モードには、前記発光期間における前記画素駆動信号波形が変動電圧波形であり、前記変動電圧波形の周期が異なる複数の輝度表示モードを有することを特徴とする請求項１に記載の画像表示装置。
【請求項１３】
前記輝度表示モードは、外光の明るさを検出して自動的に選択可能であることを特徴とする請求項１に記載の画像表示装置。
【手続補正２】
【補正対象書類名】明細書
【補正対象項目名】０００５
【補正方法】変更
【補正の内容】
【０００５】
（１）自発光素子を有する画素を含む画素マトリクスと、画素電源電圧を生成する画素電源電圧生成回路と、自発光素子印加電圧を生成する自発光素子印加電圧供給回路と、画素マトリクス駆動信号を生成する画素マトリクス駆動信号生成回路と、画像信号を生成する画像信号生成回路と、画素駆動信号を生成する画素駆動信号生成回路とを有し、画素容量の第一電極がゲート電極に接続され、前記画素電源電圧がソース電極に入力され、前記自発光素子の第一電極がドレイン電極に接続された駆動トランジスタと、前記駆動トランジスタのゲート電極とドレイン電極間に、ソース電極とドレイン電極が接続されたリセットスイッチトランジスタを有し、前記自発光素子の第二電極には前記自発光素子印加電圧が入力され、前記リセットスイッチトランジスタのゲート電極には前記画素マトリクス駆動信号が入力され、１フレーム期間内に前記各画素に前記画像信号を書込む書込み期間と発光期間とを有し、書込み期間に、前記画像信号を前記画素容量の第二電極に入力し、前記発光期間に、前記全画素の前記リセットスイッチトランジスタをオフとして、前記画素駆動信号を前記画素容量の第二電極に入力する画像表示装置であって、輝度モード制御回路で制御される２つ以上の輝度表示モードを有し、前記輝度表示モードには、前記発光期間における前記画素駆動信号波形を直流電圧波形とする第一の輝度表示モードと、前記発光期間における前記画素駆動信号波形を変動電圧波形とする第二の輝度表示モードを有する。
【手続補正３】
【補正対象書類名】明細書
【補正対象項目名】０００６
【補正方法】変更
【補正の内容】
【０００６】
（２）（１）において、前記第一の輝度表示モードと、前記第二の輝度表示モードとで、画素電源電圧が異なる。
（３）（１）において、前記画像信号生成回路と前記画素駆動信号生成回路とは、同一の回路で共用する。
（４）（１）において、前記第一の輝度表示モードでは前記駆動トランジスタが飽和領域で前記自発光素子を発光させ、前記第二の輝度表示モードでは前記駆動トランジスタは非飽和領域で前記自発光素子を発光させる。
（５）（１）において、前記第二の輝度表示モードにおける前記画素駆動信号波形は、複数の変極点を有する多角形である。
（６）（５）において、前記第二の輝度表示モードにおける前記画素駆動信号波形は、複数の変極点を有する放物線波形である。
（７）（１）において、前記第二の輝度表示モードにおける前記画素駆動信号波形は、概略放物線波形である。
【手続補正４】
【補正対象書類名】明細書
【補正対象項目名】０００７
【補正方法】変更
【補正の内容】
【０００７】
（８）（１）において、前記画素駆動信号波形は、各画素における前記自発光素子の発光色によって波形が異なる。
（９）（１）において、前記第一の輝度表示モードにおける前記画素駆動信号波形は、矩形波である。
（１０）（１）において、前記第一の輝度表示モードにおける前記画素駆動信号波形は、台形波である。
（１１）（１）において、前記輝度表示モードには、前記発光期間における前記画素駆動信号波形が変動電圧波形であり、前記変動電圧波形の形状が異なる複数の輝度表示モードを有する。
（１２）（１）において、前記輝度表示モードには、前記発光期間における前記画素駆動信号波形が変動電圧波形であり、前記変動電圧波形の周期が異なる複数の輝度表示モードを有する。
（１３）（１）において、前記輝度表示モードは、外光の明るさを検出して自動的に選択可能である。